(57)【要約】【課題】視界全体にわたって光を遮断すると同時に、視界全体の光学ゆがみを最小限に抑えることができるラップ及びレーキを示す形式の二レンズ眼鏡に使用する高ベース非矯正レンズを提供する。【解決手段】非矯正眼鏡用の光学補正レンズが開示されている。レンズ１２、１４の前表面２８は、第１中心を備えた第１球体の表面の一部分上に位置している。レンズ１２、１４の後表面３０は、第２中心を備えた第２球体の表面の一部分上に位置している。第１及び第２中心は互いにずれて、テーパレンズを提供している。レンズ１２、１４は、第１及び第２中心を通る線が装着者の正規視線２７にほぼ平行に維持される位置にレンズを維持するフレームによって装着者の頭の上で向きが決定される。このため、垂直「レーキ」及び水平「ラップ」の両方を示すような装着時向きに取り付けた時の光学特性が改良されたレンズが提供されている。【選択図】図２
2007264666.tif 000002
【特許請求の範囲】
【請求項１】
装着時向きにおいて光学補正されたテーパレンズを備えた眼鏡であって、 装着者の正規
視線に対して所定向きに少なくとも１つのレンズを懸架する眼鏡フレームと、 フレーム
に取り付けられた少なくとも１つのレンズとを有しており、 このレンズは装着時向きに
おいてラップ及びレーキの両方を示し、 前記レンズは装着時向きにおいてわずかに約１
／８ジオプトリーのプリズムゆがみとわずかに約１／８ジオプトリーの屈折力を示すことを特徴とする眼鏡。
【請求項２】
前記レンズは、わずかに約１／１６ジオプトリーのプリズムゆがみとわずかに約１／１６ジオプトリーの屈折力を示すことを特徴とする請求項１に記載の眼鏡。
【請求項３】
レンズは光学中心線を特徴としており、光学中心線が装着時位置における装着者の正規視線にほぼ平行になるような向きでフレーム内に配置されていることを特徴とする請求項１に記載の眼鏡。
【請求項４】
レンズブランクから左右のレンズを切り取る方法であって、 少なくとも第１及び第２の
ほぼ同一の偏心レンズブランクを、その各々がレンズブランクの光学中心線上にあってレンズブランクを第１半分及び第２半分に分割する対称軸を備えるように準備する段階と、
第１レンズブランクを選択する段階と、 右レンズの５０％より多くが第１レンズブランクの第１半分から切り取られるようにして１つの眼鏡の右レンズを切り取る段階と、 ほ
ぼ同一の第２レンズブランクを選択する段階と、 左レンズの５０％より多くが第２レン
ズブランクの第２半分から切り取られるようにして眼鏡の左レンズを切り取る段階とを有することを特徴とする方法。
【請求項５】
各レンズブランクは対称軸線に関して垂直方向に対称であることを特徴とする請求項４に記載の方法。
【請求項６】
各レンズブランクの少なくとも１表面が球体に一致していることを特徴とする請求項４に記載の方法。
【請求項７】
各レンズブランクは対称軸に沿って水平方向に非対称であることを特徴とする請求項４に記載の方法。
【請求項８】
各レンズブランクは中央端部で比較的厚くなっており、右レンズの５０％より多くが第１レンズブランクの第１半分の横象限から切り取られ、左レンズの５０％より多くが第２レンズブランクの第２半分の横象限から切り取られるようにしたことを特徴とする請求項７に記載の方法。
【請求項９】
装着時向きにおいて装着者の正規視線に関して光学補正された非矯正偏心眼鏡レンズを含む眼鏡であって、 フレームと、 フレームに取り付けられて、装着者の正規視線に対して所定向きにフレームによって配置された少なくとも１つのレンズとを有しており、該レンズは、第１中心を備えた第１球体の表面の一部分に一致した外表面と、第２中心を備えた第２球体の表面の一部分に一致した内表面と、第１及び第２中心を通る光学中心線とを備えており、 フレームは、光学中心線が装着者の真っ直ぐ前方の正規視線から垂直及び水
平方向に離れた位置でそれにほぼ平行に維持されるような装着時向きにレンズを維持することを特徴とする眼鏡。
【請求項１０】
光学中心線は、垂直及び水平面の少なくとも一方において装着者正規視線に対する絶対平行からわずかに約３°だけ外れていることを特徴とする請求項９に記載の眼鏡。
【請求項１１】
光学中心線は、垂直面上において装着者正規視線から約０．１インチより多く離れていることを特徴とする請求項９に記載の眼鏡。
【請求項１２】
光学中心線は、垂直及び水平面の少なくとも一方において装着者正規視線から少なくとも約０．５インチ離れていることを特徴とする請求項９に記載の眼鏡。
【請求項１３】
光学中心線は、垂直方向に装着者正規視線から約０．２５インチから約０７５インチまでの間で変位していることを特徴とする請求項９に記載の眼鏡。
【請求項１４】
２つのレンズを有することを特徴とする請求項９に記載の眼鏡。
【請求項１５】
装着時向きにおけるプリズムゆがみはわずかに約１／８ジオプトリーであることを特徴とする請求項９項に記載の眼鏡。
【請求項１６】
眼鏡フレームにはめ込んで、装着時向きにおいてラップ及びレーキの両方を示すようにして使用される非矯正レンズを偏心レンズブランクから切り取り、装着時向きにおける光学ゆがみを最小限に抑える方法であって、 少なくとも装着時向きにおけるレンズの所望ラ
ップ及びレーキを決定する程度まで眼鏡を設計する段階と、 光学中心線を備えた偏心レ
ンズブランクを得る段階と、 レンズを眼鏡に取り付けて装着時向きにした時に正規視線
に平行な線に対して示す向きと同じ向きをレンズが切り取り前に光学中心線に対して示すことができるようにする、レンズを切り取るレンズブランク上の位置を選択する段階と、
レンズをレンズブランク上の該位置から切り取る段階とを有することを特徴とする方法
。
【発明の詳細な説明】
【技術分野】
【０００１】
本発明は、眼鏡に使用されるレンズ、特に光学ゆがみを軽減できる構造及び向きにした偏心非矯正レンズに関する。
【背景技術】
【０００２】
眼鏡分野では近年、特に活動的なスポーツに使用したりファッションサングラスとして使用する眼鏡に関して様々な改良が行われている。これらの改良は、一体型レンズを備えた眼鏡、例えば「ブレイズ」(Blades)（登録商標）デザイン（オークレイ社(Oakley,Inc.)）、「Ｍ フレーム」(M Frame)（登録商標）ライン（オークレイ社）、及びやはりオー
クレイ社製の「ゼロ」(Zero)（登録商標）ラインに組み込まれている。
【０００３】
これらの眼鏡構造によって、従来の活動的なスポーツ用メガネに較べて、周辺光の遮断が最大になること、光学ゆがみの低減、装着感の向上等の様々な機能的利点が達成される。 「ブレイズ」（商標）眼鏡の一体型レンズは、例えばジャナード(Jannard)に発行された米国特許第４，８５９，０４８号に開示されている円筒形状を組み込んでいる。
【０００４】
この形状は、レンズを装着者の顔面にぴったり一致させて、装着者の真っ直ぐ前方（前方向）及び周辺（側方）からの光、風、埃等を遮断することができる。
ジャナードの米国特許第４，８６７，５５０号（トリダルレンズ形状）も参照されたい。 初期の一体型レンズ装置は、横から横までの全視野を与えると共に、良好な目の側方
保護をしていたが、光学ゆがみの可能性がある。
【０００５】
一体型レンズ装置では、例えば装着者の視線が垂直面または水平面上で移動すると、装着者の目から後レンズ表面への入射角が変化する。その結果、レンズの前部寄りで入射する光と側端部で入射する周辺光との間で屈折が異なる。プリズムゆがみのこの原因に取り組んで、米国特許第４，８５９，０４８号は、中央部分から側縁部に向かってレンズの厚みにテーパをつけることを開示している。 
【０００６】
従来技術の眼鏡はまた、２つの個別のレンズを前フレームに沿って取り付けた二レンズ眼鏡装置を用いてきた。初期の二レンズ眼鏡装置では、左右のレンズの各々は装着時の形状がほぼ共平面であった。このため、真っ直ぐに前方を見た時、装着者の視線は一般的にレンズの後表面を光学ゾーン内のレンズ表面に直角に横切っていた。
【特許文献１】米国特許第４，８５９，０４８号
【特許文献２】米国特許第４，８６７，５５０号
【発明の開示】
【発明が解決しようとする課題】
【０００７】
このレンズ構造の問題点の１つは、垂直方向に長い耳づるまたは側部アタッチメント等の特別な変更を用いなければ、この眼鏡は目の側方保護を実質的に行うことができないことであった。 
【０００８】
その後、各レンズの側縁部を前平面から後方へ、装着者の頭の側部を取り囲むように湾曲させることによって、高ラップ一体型レンズ装置によって得られるものと同様な側方ラップを提供できるようにした二レンズ装置が開発された。大きなラップをつけた二レンズ眼鏡は目の側方保護を行うが、一般的にレンズの湾曲が装着者の視界全体に無視できないプリズムゆがみを招いた。
【０００９】
これは、高屈折率の材料からなるレンズにおいて特に顕著であった。また、低い輪郭を維持しながらラップを最適化するために高ベース湾曲（例えば６以上のベース）が望まれることが多いが、そのようなレンズは、比較的高レベルのプリズムゆがみがあるために、従来は実用的ではなかった。
【００１０】
このため、視界全体にわたって光を遮断すると同時に、視界全体の光学ゆがみを最小限に抑えることができるラップ及びレーキを示す形式の二レンズ眼鏡に使用する高ベース非矯正レンズが必要である。
【課題を解決するための手段】
【００１１】
本発明の１つの態様によれば、非矯正二レンズ眼鏡に使用する眼鏡レンズが提供されている。眼鏡レンズは、装着者の正規視線の経路上にレンズを支持するフレームと組み合わせて使用される。
【００１２】
レンズは、前表面、後表面及びその間の厚みを有するレンズ本体を備えている。 レン
ズの前表面は、立体幾何形状の表面の一部分に一致している。
【００１３】
１つの実施例では、レンズの前表面は、第１中心を備えた第１球体の表面の一部分にほぼ一致している。レンズの後表面は、立体幾何形状の表面の一部分に一致しており、それは前表面が一致している形状と同じでも、異なっていてもよい。
【００１４】
１つの実施例では、後表面は、第２中心を備えた第２球体の表面の一部分にほぼ一致している。 第１及び第２中心が互いにずれていることによって、レンズ厚みにテーパがつ
けられている。第１及び第２中心を通る線が装着者の真っ直ぐ前方の正規視線等の所定の基準にほぼ平行に維持される向きで、レンズがフレーム内に取り付けられている。 
【００１５】
レンズは、レンズブランクから切り取ってもよいが、射出成形または他の公知の技法によって最終形状に直接成形してもよい。好ましくは、レンズの光学中心線を装着者の正規視線とほぼ平行な関係に維持しながら、装着者の正規視線がレンズの前表面を約９５°より大きい角度、好ましくは約１００°から約１２０° までの範囲で横切るように、眼鏡
フレームによって装着者の頭に付けた時のレンズの向きが決定される。レンズの光学中心線はレンズを通っても、通らなくてもよい。 
【００１６】
本発明のレンズを製造する方法も開示されている。
本発明のさらなる特徴及び利点は、以下の好適な実施例の詳細な説明を添付の請求範囲及び図面と組み合わせれば、明らかになるであろう。
【発明の効果】
【００１７】
このように、本発明はテーパと装着者の目からレンズの表面へ向かう可変入射角との間の正確な対応性を与える正確な方法を提供している。装着者の視線とテーパの形との間に新しい関係を認識することによって、本発明は非点収差、屈折力及びプリズムゆがみを最小限に抑えながら、様々なレンズ構造を使用できるようにする。例えば、設計者は装着者の視線に対してレンズに所望の向き及び湾曲を選択することができる。向き及び湾曲は、広範囲のレーキ、ラップ、ベース値及び装着者の顔面との近接度から選択することができる。次に、本発明の方法によって、装着時向きにおけるプリズムゆがみが最小限に抑えられるように、テーパの形や理論球体または他の形状上でのレンズ輪郭の位置を選択することができる。
【発明を実施するための最良の形態】
【００１８】
「球形」の前後表面（球体の表面の一部分にほぼ一致する表面）を備えたレンズに関す
る好適な実施例を以下に説明するが、本発明は異なった表面形状のレンズにも適用可能であることは、当業者には理解されるであろう。また、図示のもの以外の多くの正面形状及び装着時位置での向きのレンズにも適用できることは理解されるであろう。
【００１９】
図１及び図２を参照しながら、本発明に従って構成された第１及び第２レンズ１２、１４を備えた眼鏡１０、例えばサングラスを説明する。本発明は「アイ・ジャケット」(Eye
Jackets)（商標）の名前でオークレイが市販している眼鏡のデザインに組み込まれてい
るように図示されているが、本発明はレンズの湾曲、テーパ及び装着者の頭に付けた時の向きだけに関するものである。従って、第１図に示されている特別なレンズまたはフレーム形状は本発明には重要ではない。
【００２０】
むしろ、以下の説明から明らかになるように本発明の構造及び向きを組み込んだ多くの他の形状及び構造のレンズを構成することができる。 同様に、連続軌道部分を備えた取
り付けフレーム１６も、本発明にとって本質的なものではない。軌道部分は、レンズ１２、１４の下縁部だけ、上縁部だけ、または図示のようにレンズ全体を取り囲むものでもよい。あるいは、フレーム１６がレンズのいずれの他の部分を取り囲むこともできることは、当業者には明らかであろう。装着者の頭に付けた時のレンズの向きが以下に説明するように所定の視線に対して所定の関係をほぼ維持する限り、枠なし眼鏡も本発明に従って構成することができる。しかし、レンズ１２、１４の各々を図示のような環状軌道部分に取り付けることが好ましい。 １対の耳づる２０、２２がフレーム１６に回動可能に取り付
けられている。あるいは、耳づる２０、２２を直接的にレンズ１２、１４に取り付けてもよい。フレームは、様々な金属、複合材料、または当該分野では公知の比較的硬質の成形熱可塑性材料で形成することができると共に、透明にしたり、様々な色を付けることができる。射出成形、機械加工及び他の構成技法は公知である。 本発明によるレンズは、公
知の様々な方法で製造することができる。 一般的に、高光学品質レンズは、事前成形さ
れている射出成形レンズブランクから切り取られる。左右のレンズは互いに鏡像の関係であることが好ましいので、以下の説明のほとんどでは右レンズについてだけ全体的に説明する。
【００２１】
しかし、事前成形レンズブランクからレンズを切り取る方法の説明では、左レンズが右レンズとは異なっている点を、装着時のレンズ向きに合わせて選択されたレーキ及びラップの程度に関して説明する。あるいは、レンズを最終形状及び寸法に直接成形することができ、その場合には成形後の切り取り段階が必要なくなる。 好ましくは、レンズ、また
はそれを切り取るレンズブランクは射出成形され、ポリカーボネート等の比較的硬質で光学的に容認できる材料で構成されている。ＣＲ−３９等の他のポリマーレンズ材料や、公知の高屈折率プラスチックも使用できる。本発明の偏心テーパ補正はガラスレンズにも適用可能であるが、ここで言う補正の必要性は、一般的に現在人気の非ガラス素材の場合の方が顕著である。
【００２２】
レンズをレンズブランクから切り取る場合、レンズブランクの注意深く選択された部分のテーパ及び湾曲が、後述する好適な方向決め方法に従ってレンズに伝えられる。好ましくは、レンズの成形湾曲部と協働して成形時湾曲からの狂いを最小限に抑えるか、さらにはそれの保持性を向上させるスロットまたは他の取り付け構造をフレームに設ける。 あ
るいは、レンズまたはレンズブランクをほぼ平面的なテーパシート材から押し抜きまたは切断加工してから、本発明に従った湾曲構造に曲げることもできる。次に、比較的硬質の湾曲フレームを用いるか、熱成形技術において公知のように、その湾曲構造を保持できるように湾曲シートを加熱することによって、この湾曲構造を維持することができる。 最
も好ましくは、レンズの両表面の湾曲をレンズブランクの成形及び研摩処理中に形成し、後述するように本発明に従ってレンズ形状をブランクから切り取る。
【００２３】
図２に示されているように、本発明のレンズ１４は、水平面において、中央縁部２４から装着者の視界の少なくとも一部分、好ましくはほぼ全体にわたって側縁部２６まで延びたほぼ円弧形であることを特徴としている。二レンズ装置において中央縁部２４から側縁部２６までのレンズの円弧長さは一般的に約１・1/ 2インチから約３・1/2インチまでの
範囲、好ましくは約２インチから約３インチの範囲に入る。１つの好適な実施例では、レンズの円弧長さは約２・3/8インチである。 レンズ１２、１４の外表面は共通円３１上にあるように図示されているように見えるが、高ラップ眼鏡の左右のレンズは一般的に、各レンズの中央縁部が円３１の外側に出て、側縁部が円３１の内側に入るように傾斜している。レンズをそのように傾斜させることによって、角度θ（図２）が増加し、本発明によって達成される光学補正の妥当性が高まる。
【００２４】
装着時に、レンズ１４は少なくとも装着者の真っ直ぐ前方の正規視線２７を横切って、好ましくはほぼ装着者の周辺視界を横切る必要がある。ここで使用する装着者の正規視線とは、装着者の目の真っ直ぐ前方に延びた直線のことであり、図９及び図１０に線１３０で示されているように垂直面または水平面上において角偏差をほとんど伴っていない。 
レンズ１４は前表面２８と、後表面３０とを備え、その間の厚みは変化する。ポリカーボネートレンズの場合、中央縁部２４付近におけるレンズ１４の厚みは一般的に約１ｍｍから約２．５ｍｍまで、好ましくは約１．５ｍｍから約１．８ｍｍまでの範囲である。好適な実施例では、レンズ１４の最も厚い部分はレンズと光学中心線との交点付近であって、約１．６５ｍｍである。 好ましくは、レンズ１４の厚みは、必ずしも均等でなくてもよ
いが、中央縁部２４付近の最大厚みから側縁部２６位置の比較的小さい厚みまで、滑らかに薄くなる。側縁部２６付近のレンズの厚みは一般的に約０．６３５ｍｍから約１．５２ｍｍまで、好ましくは約０．７６２ｍｍから約１．２７ｍｍまでの範囲である。好適なポリカーボネート実施例では、レンズの側部での最小厚みが約１．１５ｍｍである。側縁部２６の最小厚みは、一般的にレンズの所要衝撃抵抗に応じて決定される。
【００２５】
図３は、円形の内側及び外側表面の水平断面で均一厚み４４の従来形のレンズ４１の屈折を概略的に説明している。そのようなレンズ４１では、レンズ４１から目４６へ向かう光線の入射角が、視界全体で変化する。例えば、説明上中央光線５０と呼ぶ光線は、入射点における法線に対して角度αでレンズ４１に衝突する。当該分野では公知のように、透過表面における光の曲がりは、光線の入射角によって部分的に決定される。光線５０は、レンズ４１の外表面５２及び内表面５４において逆方向に屈折する、すなわち曲がる結果、透過光線５６は入射光線５０に平行になる。透過光線５０は、入射光線５０の経路から距離５８だけ側方へ変位している。この変位が、（プリズム）光学ゆがみの第１の原因である。
【００２６】
また、入射角βが大きくなることから、側縁部６０では屈折変位がさらに顕著になる。光学分野の専門家には理解されるように、スネルの法則に従って周辺入射光線６２は中央入射光線５０よりも大きい変位６４を受ける。周辺光線の変位量６４と中央光線の変位量５８とが異なる結果、二次的な光学ゆがみが生じる。この二次的なゆがみによって、レンズ４１の比較的側方部分から見た像に大きなひずみが生じる。
【００２７】
図４は、ジャナードに発行された米国特許第４，８５９，０４８号の一体型レンズ装置に関連して開示されているものと同様にして、レンズ４１の側縁部６０で大きくなる入射角を補償するためにテーパ状の厚みにしたレンズ７１を概略的に示している。テーパをつけることによって、側縁部７６でのレンズ厚み７４が中央寄りの地点８０でのレンズ厚み７８よりも薄くなっている。このように厚み７４を小さくすることによって、図４のテーパをつけていないレンズ４１の場合の周辺光線変位量６４よりも周辺光線変位量８２が減少する。言い換えると、テーパレンズ７１の中央寄りの地点８０での厚み７８及び入射角α’に較べて、側縁部７６付近のレンズの厚み７４が小さくなることによって、入射角β
’が大きくなることがある程度相殺される。 同じレンズ７１において周辺光線変位量８
２と中央光線変位量８４との間に生じる違いが、図３の対応の差ほど大きくなく、二次的光学ゆがみが軽減される。二次的ゆがみの補正度は、頂点８５から各側縁部７６までのテーパの様子及び程度と、入射角が同じ範囲で変化する様子との間の関係によって決まることに注意されたい。
【００２８】
図４のレンズ７１は、装着者の正規視線８６がレンズ頂点すなわち機械的中心８５でレンズ７１を垂直に通過するようにフレーム（図示せず）内に取り付けられているかのように示されている。言い換えると、装着者の正規視線の場合、レンズ法線に対する入射角がゼロである。断面図で示されたレンズ７１の外側及び内側表面は、それぞれ中心点８７及び８８で表されている、ずれているが等半径の円に一致している。ここではレンズの光学中心線と呼ぶ中心点８７及び８８を通る線は、装着時向きにおいて正規視線と共線関係にある。説明を簡単にするため、この従来型構造を中心配置レンズと定義することにする。
【００２９】
正規視線８６の円周方向時計回り、または反時計回りに、レンズ法線に対する入射角は、レンズ頂点８５でのゼロから均等に増加する。 美観的スタイル上の理由、浮遊塵から
の目の側方保護、または周辺光の遮断のためにある程度のラップが望ましいであろう。急な水平湾曲（高ベース）のレンズ、例えば小半径の球面レンズの使用、及び中心配置二レンズに対して側部後方に傾斜させた位置への各レンズの取り付けの両方またはいずれか一方によってラップを達成することができる。しかし、そのような傾斜によって、正規視線８６が光学中心線との共線関係から外れ、レンズの光学特性が変化する。その結果、装着者の顔面の側部を取り囲む大きな「ラップ」をつけた従来型の二レンズ眼鏡は、一般的にある程度のプリズムゆがみを伴っていた。
【００３０】
同様に、美観的理由から、また装着者の目の下側から入る光、風、埃または他の塵を遮断するために、高度のレーキすなわち垂直傾斜が望ましいであろう。ラップによって正規視線８６が光学中心線の水平成分との共線関係から外れるのと同様にして、レーキをつけてレンズを取り付けることによって、正規視線が光学中心線の垂直線分との共線関係から外れる。レーキを大きくした従来の二レンズ眼鏡も、一般的にある程度のプリズムゆがみを示す。
【００３１】
本発明によれば、装着時向きにおいてレーキ及びラップの両方またはいずれか一方を備えたレンズのプリズムゆがみを最小限に抑える改良形光学構造及び方法が提供されている。本発明は様々なレンズ形状及び向きに適用できるが、本発明は特に高ベース湾曲を用いて装着時向きにおいて高度のラップ及びレーキの両方またはいずれか一方を示す二レンズ眼鏡に利用される。 図２及び図５に示されている眼鏡は、従来の中央配置二レンズ取り
付けに対して側方へ回転した位置に取り付けられた傾斜レンズ１２及び１４、または１０２及び１０４を組み込んでいる。傾斜レンズの装着者の頭に対する向きは、中央配置レンズを備えた従来の二レンズ眼鏡から始めて、装着者の頭の側部を取り囲むようにフレームをこめかみの位置で内向きに曲げることによって得られると考えられる。 ラップを増加
させた結果、装着者の正規視線２７は、図４に示されているようにレンズ１４に垂直に当たらなくなる。代わりに、装着者の視線２７に対する入射角θ°（図２）が９０°より大きくなり、良好なラップを得るためには、それが約９５°以上、好ましくは約１００°から約１３５°までの範囲に入り、ベースが９．５の実施例では約１０１．７５°である。ベースが低いレンズほど、装着時向きにおけるθが大きくなり、ベースが６．５の実施例の角度θは約１１３．４°である。瞳孔間距離が２．８インチでベースが４の実施例では、角度 θが約１１９．８６４°であった。
【００３２】
図５は、本発明の実施例に従った眼鏡１００の水平断面図を示しており、第２図に示されているものとスタイルは同様であるが、レンズ１０２及び１０４の湾曲が急になってい
る（ベースが高くなっている）と共に、おそらくラップが大きくなっている。眼鏡１００を装着した時、レンズ１０４の側縁部１０６が大きく回り込んで着用者のこめかみ付近に達することによって、問題の目の側方保護を十分に行うことができる。 本発明のレンズ
の前表面１０８は、図面の水平断面で示されているように、標準幾何立体、例えば球体１１０の表面の一部にほぼ一致する。従って、図示の実施例の球面レンズ１０２及び１０４の前表面は半径を特徴としている。当該業界の慣例では、湾曲はベース値で表すこともできるので、レンズの前表面のｍｍ単位の半径（Ｒ）は、５３０をベース湾曲で割った値、すなわち 
【００３３】
【数１】
2007264666.tif 000003
【００３４】
になる。本発明は、ベース湾曲が６以上、好ましくは約７・1/2から１０・1/2まで、さらに好ましくは約８から９・1/2まで、１つの実施例では約８・3/4から９までであるレンズブランクを用いて比較的高いラップの二レンズ眼鏡装置を構成できるようにする。例えば、ベースが８・3/4のレンズの前表面に一致する円の半径は約６０．５７ｍｍである。そ
れに対して、ベースが３のレンズの前表面の場合の円の半径は約１７６．６６ｍｍである。 
【００３５】
図５に示されている本発明の実施例は、厚みが光学中心線の位置で約０．０６４９インチ、光学中心線からレンズの外周に沿って２インチ移動した基準点で０．０５３インチで、ベースが８・3/4のレンズブランクから切り取ることができる。あるいは、レンズを直
接的にそれの最終形状及び構造に成形することもできる。
【００３６】
図６は、レンズブランク１２２の斜視図であり、それの凸状の外表面１３６が、立体幾何形状１２４の表面の一部分にほぼ一致している。本発明に従ったレンズを様々な幾何形状のいずれかに一致させることができることは、当業者には理解されるであろう。 好ま
しくは、レンズの外表面は、水平面または垂直面のいずれかにおいて一定の水平半径（球体または円柱）または漸増曲線（楕円、トロイド、卵形）または他の非球面形状の滑らかな連続表面を備えた形状に一致するようにする。しかし、ここに記載した好適な実施例の幾何形状１２４は、ほぼ球体である。
【００３７】
図６及び図７に示されている球体１２４は、仮想立体壁構造体であり、その壁の一部分がレンズ１２０を切り取るのに適している。公知のように、精密レンズ切断は、レンズ１２０を最終的に切り取るレンズブランク１２２を形成することによって行われることが多い。しかし、別体のレンズブランクを使用することは任意であり、必要ならばレンズ１２０を直接的にそれの最終形状及び構造に成形してもよいことは、図６及び図７から当業者には明らかであろう。 また図６及び図７からわかるように、レンズ１２０及びレンズブ
ランク１２２の両方またはいずれか一方を、球体１２４上の様々な位置に配置することができる。本発明の目的に合わせて、光学中心線１３２が球体１２４に対するレンズ１２０の向きの基準線として機能する。
【００３８】
図示の実施例では、外表面及び内表面の両方が球体の一部分に一致しており、光学中心線が２つの中心Ｃ１及びＣ２を結ぶ線１３２として定められている。非球面レンズ形状のための同様な基準線は、球体の２つの幾何中心の結合とは異なった方法で形成できることは、当業者には明らかであろう。
【００３９】
レンズ１２０は、図７に示されている球体の壁の一部分の形状を保持するようにして最終的に形成される。レンズ１２０が眼鏡フレーム内で方向が決められた時に、レンズを通る装着者の正規視線１３０が、レンズ１２０を切り出す幾何形状の光学中心線１３２にほぼ平行に維持されるようにして、球体１２４上のレンズ１２０の位置が選択される。図６及び図７では、レンズ１２０は、ラップが大きいと共にある程度の下方レーキ（光学中心線１３０の下方で球体１２４を横切る装着時正規視線１３０で表される）を備えた右レンズである。異なった形状、またはラップを小さくしたレンズでは、レンズを切り取る仮想球体１２４の光学中心線１３２に重なる場合もある。しかし、レンズ１２０の視線１３０が装着時向きにおいて光学中心線１３２にほぼ平行に維持される限り、仮想球体１２４の光学中心線がレンズ１２０を横切るか否かは重要ではない。
【００４０】
同様に、レンズが装着時向きにおいてレーキまたは上方レーキを備えないようにする場合、正規視線（及びレンズ全体）は球体１２４を光学中心線を含む中央水平子午線上またはその上方で横切る。従って、光学中心線１３２に対する最終正規視線１３０の空間距離及び位置が、（水平方向距離によって）ラップ及び（垂直方向距離によって）レーキの度合いを示す。しかし、関連距離に関係なく、正規視線１３０が好ましくは水平面及び垂直面の両方において光学中心線１３２からずれた位置でそれにほぼ平行に維持されている限り、レンズが示す光学ひずみが最小限に抑えられる。
【００４１】
本発明では、「ほぼ平行」とは、レンズ１２０を装着時の位置で方向決めした時、所定の視線１３０が水平面または垂直面において光学中心線１３２に平行な位置から約±１５°を超えない偏差であることを意味するものとする。好ましくは、正規視線１３０は光学中心線１３２からの偏差が約±１０°を超えない、さらに好ましくは、正規視線１３０は光学中心線１３２に平行な位置からの偏差が約±５°まで、最も好ましくは約±２°までにする。視線１３０が装着時向きで光学中心線に平行であることが最適である。
【００４２】
水平面に平行な位置からの外れは、垂直面に平行な位置からの外れよりも光学系に与える負の衝撃が一般的に大きい。従って、偏差角度の水平成分が平行な向きからの上記偏差範囲内ある限り、一部の眼鏡では垂直面上での視線１３０と光学中心線１３２との間の立体角が上記範囲を超えてもよい。好ましくは、視線１３０の垂直面上における装着時向きでの光学中心線からの偏差が約±１０°まで、さらに好ましくは約±３°までである。
【００４３】
図７は、図６のレンズ１２０、レンズブランク１２２及び幾何形状１２４の破断図である。この図面から、幾何形状１２４の光学中心線を通る水平断面１３４で示されているように、好適な幾何形状１２４が可変厚みの壁を備えた中空体であることがわかる。 好適
な幾何形状１２４のテーパ壁は、中心Ｃ１及びＣ２及び半径Ｒ１及びＲ２で表された２つの水平方向にずれた球体から得られる。好適なレンズブランク１２２の外表面１３６は一方の球体（半径Ｒ１）に一致しているのに対して、レンズブランク１２２の内表面１３８は他方の球体（半径Ｒ２）に一致している。２つの球体を定めるパラメータを調節することによって、レンズブランク１２２のテーパの性質ｍ０調節することもできる。
【００４４】
特に、レンズブランクの外表面１３６及び内表面１３８が一致している２つの球体のパラメータは、屈折力が最小であるか、もしくは全くない非矯正レンズを形成するように選択することが好ましい。ＣＴが選択された中心厚み（中空幾何形状１２４の壁の最大厚み）を表し、レンズブランク材料の屈折率をｎとし、外表面１３６の湾曲の設計選択によってＲ１に設定した場合、Ｒ２は次式に従って決定される：ＣＴ／ｎは球体中心Ｃ１及びＣ２の離間距離を表す。例えば、設計選択においてベースが６のレンズが望まれ、中心厚みを３ｍｍに選択し、好適な材料（ポリカーボネート）の屈折率が１．５８６である場合、Ｒ２は次のように決定される：
【００４５】
【数２】
2007264666.tif 000004
【００４６】
この場合、外表面１３６の半径Ｒ１が８８．３３３ｍｍ、内表面１３３の半径Ｒ２が８７．２２５ｍｍ、球体中心Ｃ１及びＣ２の離間距離が１．８９２ｍｍである。これらのパラメータは、好適な偏心球体実施例のレンズブランク１２２の湾曲を説明している。 好
適な実施例の場合、光学中心線１３２は、ずれた球体の両中心点Ｃ１及びＣ２を通る線である。これは、好適な幾何形状１２４の壁の光学中心１４０に位置する最肉厚部分をたまたま通過している。光学中心線１３２は、図示のレンズブランク１２２の表面１３６をたまたま通っているが、これは必ずしも必要ない。光学中心１４０はレンズ１２０上をたまたま通っていないが、大形のレンズや装着時向きにおいてラップを小さくしたレンズではそれを通る場合もある。
【００４７】
図８は、レンズ１２０の水平断面図であり、外表面１３６及び内表面１３８が一致する幾何形状１２４を仮想線で示している。レンズブランク１２２は図面から省略されている。本発明によれば、選択された向きに対応した光学中心線１３２が、レンズ１２０を眼鏡フレームに取り付ける時に装着者の真っ直ぐ前方の正規視線１３０からずれた位置でそれにほぼ平行になるように調整されている。
【００４８】
図８Ａは、レンズ１２０の縦断面図であり、やはり外表面１３６及び内表面１３８が一致する幾何形状１２４を仮想線で示している。図８の水平図面とは異なって、光学中心線１３２を垂直面に投影したもの（すなわち光学中心線１３２の垂直成分）が好適なレンズ１２０の縦断面を通過しているように見える。いずれの場合も、選択されたテーパに対応した光学中心線１３２の垂直成分も、装着時の向きにおいて装着者の正規視線１３０にほぼ平行になるように調整されている。 このため、高度のラップを備えた二レンズ眼鏡用
の光学補正レンズを提供するのに加えて、本発明は、ある程度のレーキを特徴とする眼鏡用の光学補正レンズを提供することができる。
【００４９】
「レーキ」及び「光学補正」については以下に詳細に説明する。 一般的に、「レーキ
」は、装着時の向きにおいて正規視線１３０（図８Ａを参照）がレンズ１２０に正接する垂線に直角以外の角度で交わるレンズ状態を説明していると理解されたい。しかし、好適な実施例に従った光学補正眼鏡の場合、レーキをつけたレンズに対する正規視線は、光学中心線から垂直方向にずれた位置でそれにほぼ平行になる。従って、補正された向きのレンズのレーキの度合いは、正規視線が光学中心線から垂直方向に変位する距離によって測定することができる。
【００５０】
図１０Ｂに示されている中心配置レンズの場合、装着者の視線は光学中心線に一致し、垂直方向の変位が見られない。そのようなレンズは装着時向きにおいて（以下に定義するように）光学補正されているが、本発明の好適な実施例とは異なって、そのレンズにはレーキがついていない。図１０Ｃは、下方へ傾斜させた、すなわちレーキをつけたレンズ向きを示しているが、この場合には光学中心線と正規視線が大きく発散しているため、意味のある「変位」を測定できない。このレンズは従来の意味では下方レーキがついており、装着者の顔面に一致して目の下側保護を好都合に行っているが、光学補正は行われていない。
【００５１】
それに較べて、好適な実施例によるレーキつきのレンズの正規視線は、光学中心線からの有限垂直方向変位、好ましくは下方レーキに対応した下向きの変位を特徴としている。光学中心線が上記の許容角度範囲内で正規視線から発散する場合、この変位をレンズ表面位置またはその付近で測定するものとする。変位量は、ゼロでない変位から約８．０インチまでの範囲であろう。低ベースの湾曲のレンズでは、良好なレーキを得るためには変位量を大きくする必要があるであろう。しかし、ベースが６の湾曲のレンズの垂直方向変位量は、約０．１から約２．０インチまでの間にする必要がある。さらに好ましくは、垂直変位量は約０．１インチから約１．０インチの間、特に約０．２５インチから約０．７５インチ、最も好ましくは約０．５インチである。
【００５２】
本説明で使用する「光学補正」とは、装着時向きにおいて、プリズムゆがみ、屈折力及び非点収差の値の１つまたは複数で判断した時に比較的小さいゆがみを示すレンズのことである。好適な実施例に従ったレーキつきのレンズは、少なくとも１／４ジオプトリーまたは３／１６ジオプトリー以下、一般的に約１／８ジオプトリーより小さく、好ましくは約１／１６より小さく、さらに好ましくは約１／３２ジオプトリーより小さいプリズムゆがみを示す。本発明によるレンズの屈折力及び非点収差も好都合に低い。屈折力及び非点収差の各々も、少なくとも１／４ジオプトリーまたは３／１６ジオプトリー以下、好ましくは約１／８ジオプトリーより小さく、さらに好ましくは約１／１６より小さく、最も好ましくは約１／３２ジオプトリーより小さい。 光学ゆがみを最小限に抑える利点は水平
及び垂直の両次元に適用されることは、当業者には理解されるであろう。本発明に教示されている原理を垂直及び水平の両次元に応用することによって特別な利点が得られ、（ラップ及びレーキによる）目の側方及び下側周辺保護と装着者の視界全体にわたり優れた光学品質とを組み合わせることができる。
【００５３】
さらに、ここに記載した基本的な実施例は、水平及び垂直断面の両方において一定の半径であるが、両平面の様々なレンズ形状を本発明と組み合わせることができる。例えば、本発明のレンズの外側または内側、または両表面を第６及び第７図に示されているように球形にほぼ一致させることもできる。あるいは、レンズの外側または内側、または両表面を直円柱、円すい台、楕円柱、楕円体、回転楕円体、または多くの他の立体形状のいずれかに一致させてもよい。しかし、一方の表面の特別な垂直または水平湾曲に関係なく、取り付けた装着時向きにおいてレンズの屈折力、プリズム及び非点収差の１つまたは複数が最小限に抑えられるように他の表面を選択する必要がある。
【００５４】
図９〜図１２は、本発明の好適な実施例に従って右レンズ１２０を切り取るレンズブランク１２２上の位置を選択する方法の説明を助けるものである。好適な実施例の二レンズ眼鏡の左レンズも同様な方法を用いて形成できることは理解されるであろう。 第１段階
として、レンズの内側または外側表面１３８、１３６の所望の全体湾曲を選択する。好適なレンズ１２０用に、この選択によってレンズブランク１２２のベース値が決定される。前述したように、多くの他の湾曲を本発明に組み合わせて使用することができる。レンズ厚みも事前に選択することができる。特に、最小厚みは、レンズが所定の衝撃力に耐えることができるように選択することができる。 所望のレンズ形状も選択できる。
【００５５】
例えば、図１２は、レンズの正面図の一例を示している。選択された特定形状は、一般的にここに開示した所定向きの偏心レンズ光学系に関係ない。 レンズの所望の装着時向
きも、装着者１２６の正規視線１３０に関連させて選択される。前述したように、好適な取り付け向きすることによって、側方保護及び周辺光の遮断を行うための、またデザイン上の理由にもよる大きな側方ラップと、ある程度の下方レーキが得られる。例えば、図６〜図１２に示されている実施例は、ラップを得るために傾斜レンズ１２０を用いている。あるいは、高ベースのレンズを用い、従来のものに近い（傾斜しない）向きにすることに
よっても、ラップを得ることができる。図９及び図１０は、取り付け向きが装着者の視線１３０にどのように関係するかをわかりやすく説明している。 装着者の頭に対する様々
な垂直方向の装着時向きを概略的に示している図１０Ａ〜図１０Ｃから理解されるように、眼鏡の設計者はレーキ、すなわち垂直傾斜の度合いを選択することもできる。図１０Ａは、装着者１２６の頭に対する、また特に真っ直ぐ前方の正規視線１３０に対するレンズ１２０の好適な向きを示している。
【００５６】
図１０Ａに示されているように、一般的な頭部構造との一致性の改善を含めた様々な理由から、下方レーキが望ましい。本説明から当業者には明らかなように、光学中心線１３２（図７を参照）と交わる水平面より下側に位置する機械的中心点を設けたレンズ１２０は、図１０に示されたような下方レーキをつけた向きにしながら、光学中心線と真っ直ぐ前方の視線との間のほぼ平行関係を保持することができる。仮想球体の光学中心線１３２に対するレンズ１２０の向きは、レンズ１２０と装着時向きにおける正規視線１３０の平行線との間の向きと同じになるはずであるので、光学中心線１３２の下方でこの球体から切り取られたレンズはいずれも、対応の下方レーキをつけて取り付けて、本発明の光学補正を達成することができる。 従って、図１０Ａに示されているように、正規視線１３０
と光学中心線１３２との間の変位の垂直成分を指定することによって、所望のレーキ度を選択することができる。いずれの方法でも、変位が大きいほど、下方レーキが大きくなる。
【００５７】
一般的に、本発明に従った垂直変位はゼロより大きい。一般的に、ベース湾曲に応じて約０．１インチから約２インチまでであろう。好ましくは、垂直変位量は約０．１インチから約１インチまで、または約０．２インチ以上であろう。さらに好ましくは、それは約０．２５インチから約０．７５インチまでであり、１実施例では約０．５インチであった。 あるいは、レンズの湾曲に対する正規視線の向きを固定する汎用輪郭を選択すること
もできる（レンズの厚みを考慮していない）。例えば、図１０Ａは、正規視線１３０に対する上縁部１５２及び下縁部１５４の基準点を与えている。以下の図１１Ａの説明から明らかになるように、この関係を利用して、レンズを切り取るレンズブランク上の位置を決定することができる。
【００５８】
図１１は、レンズ１２０の水平向きをレンズブランク１２２上に写したものを示している。選択された向きを測定する基準になる正規視線１３０は、光学中心線１３２からずれた位置でそれに平行に維持される。変位の水平成分は、一般的に低ベース湾曲の場合は約０．１インチから約８インチまでの範囲内である。図１１に示されているような美観的デザイン及び所望のレーキ及びラップ向きが（選択したフレーム１５０によって）決定され、その美観的設計に合う適当なベース湾曲を備えたレンズブランク１２２を形成してから、その美観的設計を理論球体すなわちブランクの表面上にグラフィックまたは数学的に投影することによって、レンズ１２０として使用するのに適した球体の部分を明らかにすることができる。球体の光学中心線が装着時向きにおいて所望の正規視線にほぼ平行になる向きから外れる位置へレンズ１２０を回転させることなく、球体から切り取ったレンズが美観的設計に適したラップ及びレーキを示す位置に位置決めされるまで、球体上へのレンズ形状の投影像を球体の表面に沿って移動させなければならない。 選択された垂直向き
についても、同様な同時投影を図１１Ａに示されているように実施することができる。
【００５９】
図１１Ａは、選択フレーム１５０からレンズブランク１２２上の位置へ投影したものを概略的に示している。フレーム１５０（または図１０Ａで提供されているような概念構造）は、視線１３０に関連付けたレンズ上縁部１５２及び下縁部１５４の形の基準点を与えている。次に、視線１３０を光学中心線１３２にほぼ平行に維持しながら、上縁部１５２及び下縁部１５４の両方がレンズブランクの外表面１３６上の対応地点に同時に整合するまで、投影像を上下に移動させることができる。 水平輪郭及び垂直輪郭の両方の投影を
同時に行って、視線１３０が光学中心線１３２またはレンズブランク１２２の他の基準線に平行になる、（図１２に示されている正面形状を含む）レンズの所望立体形状に対応したレンズブランク１２２上の単一位置を定める。もちろん、線１３０及び１３２はほぼ平行である、すなわち上記の角偏差の許容範囲に入っていることは理解されるであろう。
【００６０】
次に、この形状をブランク１２２から切り取るか、直接的に最終レンズ形状に成形する。これによって得られたレンズ１２０は、所望形状に一致するだけでなく、装着時向きにした時のプリズムゆがみを最小限に抑えることができる。図１２は、図６及び図７の球体の表面の一部分に一致するように示された、紙面の方にくぼんだレンズブランク１２２を示している。図１２において、レンズブランク１２２の機械的中心が中央水平子午線上の図面の中心に示されるようにして、レンズブランク１２２が理論球体上に形成されている。図示のレンズ輪郭１２０は、中央縁部１４８と、側縁部１４４と、上縁部１５２と、下縁部１５４とを備えている。右レンズ１２０の中央縁部１４８は、レンズブランク１２２の光学中心近くに位置している。 右レンズ１２０の少なくとも一部分は、レンズブラン
ク１２２の左下（第３）象限に位置している。好ましくは、ラップ及び下方レーキの両方を示す本発明の実施例では、レンズ面積の少なくとも約半分がレンズブランク１２２の第３象限に入る。好ましくは、レンズ１２０の面積の全部またはほとんど全部が図示の光学中心の左下に位置するようにする。レーキは同程度であるがラップが小さいレンズは、レンズ面積の５０％以上がレンズブランク１２２の右下（第２）象限に入るようにして、レンズブランク１２２上に配置することができる。
【００６１】
図１２Ａは、左レンズ１２０Ｌを切り取ることができる同じレンズブランク１２２上の位置を示している。左レンズ１２０Ｌは、中央縁部１４８Ｌと、側縁部１４４Ｌと、上縁部１５２Ｌと、下縁部１５４Ｌとを備えている。図示の輪郭で右レンズ１２０及び左レンズ１２０Ｌの両方を同一レンズブランク１２２から切り取ることはできないので、左レンズ１２０Ｌは仮想線で示されている。図示の左レンズ１２０Ｌは、第１レンズブランク１２２と同一の第２レンズブランク上の図示の位置から切り取ることができる。 左レンズ
１２０Ｌは右レンズ１２０に対して対称的に逆になるので、左レンズ１２０Ｌは右レンズ１２０の鏡像である。例えば、右レンズ１２０の像は、光学中心線１３０及び球体１２４の極が通る垂直面に対して裏返すことができる。その像を投影するレンズブランクは図示のレンズブランク１２２と同一であるが、機械的中心回りに１８０°回転させる。
【００６２】
あるいは、左レンズ１２０Ｌは垂直対称軸線に関して右レンズ１２０の鏡像であると考えることもできる。図１２Ｂに示されているように、左レンズ１２０Ｌは右レンズ１２０に対して上下が逆転している。好適なレンズブランク１２２の場合、垂直対称軸線は、レンズブランク１２２を上下半分に分割する中央水平子午線１７０であり、その上下半分は球体１２４（図６及び図７）の上下の半球に一致する。このため、中央縁部１４８Ｌ、側縁部１４４Ｌ、上縁部１５２Ｌ及び下縁部１５４Ｌの各々の水平位置（すなわちレンズブランク１２２の中央または側縁部からの距離）が、右レンズ１２０の対応点のものと同じになる。左右レンズの対応点はまた、水平子午線１７０から反対方向であるが同じ垂直距離にある。例えば、左レンズ１２０Ｌの上縁部１５２Ｌが水平子午線１７０から上方に離れた距離は、右レンズ１２０の上縁部１５２が水平子午線１７０から下方に離れた距離とほぼ同じである。
【００６３】
このため、レーキをつけた二レンズ実施例の左レンズ１２０Ｌは好適なレンズブランク１２２のほぼ上半分から切り取られるのに対して、右レンズ１２０は同じレンズブランクのほぼ下半分から切り取られる。好ましくは、二レンズ実施例がラップ及びレーキの両方を示している場合、左レンズ１２０Ｌは好適なレンズブランク１２２のほぼ左上（第４）象限から切り取られるのに対して、右レンズはほぼ第３象限から切り取られる。ここで使用する「ほぼ」とは、好適なレンズブランク１２２の関連の半分または象限に入るレンズ
１２０または１２０Ｌの表面積の５０％以上であることを表す。 もちろん、この説明は
、中央水平子午線１７０を通る（すなわち、レンズブランク１２２のテーパが垂直方向に対称的である）が、機械的中心を通らない（すなわち、レンズブランク１２２のテーパが水平方向に非対称である）光学中心線を特徴とするレンズブランク１２２に限定される。変更したレンズブランクでは変更したテーパを使用することは理解されるであろう。当業者であれば、テーパの対称性に関係なく、装着時向きにおける正規視線が光学中心線にほぼ平行に維持されるように左右のレンズを切り取る位置を調節できるであろう。
【００６４】
このように、本発明はテーパと装着者の目からレンズの表面へ向かう可変入射角との間の正確な対応性を与える正確な方法を提供している。装着者の視線とテーパの形との間に新しい関係を認識することによって、本発明は非点収差、屈折力及びプリズムゆがみを最小限に抑えながら、様々なレンズ構造を使用できるようにする。例えば、設計者は装着者の視線に対してレンズに所望の向き及び湾曲を選択することができる。向き及び湾曲は、広範囲のレーキ、ラップ、ベース値及び装着者の顔面との近接度から選択することができる。次に、本発明の方法によって、装着時向きにおけるプリズムゆがみが最小限に抑えられるように、テーパの形や理論球体または他の形状上でのレンズ輪郭の位置を選択することができる。
以上、一定の好適な実施例について本発明を説明してきたが、当業者には他の実施例も明らかになるであろう。従って、本発明は好適な実施例の記載によって制限されるのではなく、添付の請求項のみによって定義されるものとする。 
【図面の簡単な説明】
【００６５】
【図１】本発明の実施例に従って製造されたテーパ補正レンズを組み込んだ眼鏡の斜視図である。
【図２】図１の２−２線に沿った断面図である。
【図３】二レンズメガネ装置用の従来のテーパなしのレンズの概略的水平断面図である。
【図４】二レンズ眼鏡装置用のテーパレンズの概略的水平断面図である。
【図５】図２と同様な断面図であるが、本発明の別の実施例に従ってベース湾曲を大きくしたテーパ補正レンズを示している。
【図６】球体の表面の一部分に一致したレンズブランクの斜視図であり、本発明の好適な実施例に従ってブランクから切り取られるレンズ輪郭を示している。
【図７】図６の中空のテーパ壁の球体、レンズブランク及びレンズの破断斜視図である。
【図８】本発明の好適な実施例に従って構成されたレンズの水平断面図である。
【図８Ａ】本発明の好適な実施例に従って構成されたレンズの縦断面図である。
【図９】図８のレンズの上面図であって、高ラップを装着者との関係で示している。
【図１０Ａ】本発明の好適な実施例に従った、様々な構造及び向きのレンズを装着者との関係で示す右側面図であり、下方レーキをつけた眼鏡に使用される適当な構造及び向きのレンズの輪郭を示している。
【図１０Ｂ】様々な構造及び向きのレンズを装着者との関係で示す右側面図であり、レーキのない中心配置のレンズの輪郭を示している。
【図１０Ｃ】様々な構造及び向きのレンズを装着者との関係で示す右側面図であり、下方レーキを示すが、真っ直ぐ前方の視線についてのプリズムゆがみを最小限に抑える構造及び向きになっていないレンズを示している。
【図１１】本発明の好適な実施例に従ったレンズの水平方向輪郭を眼鏡フレーム内の所望向きからレンズブランクへ投影した概略図である。
【図１１Ａ】本発明の好適な実施例に従ったレンズの垂直輪郭を眼鏡フレーム内の所望向きからレンズブランクへ投影した概略図である。
【図１２】図６の右レンズ及びレンズブランクの前部（凸表面）の上面図であり、ブランクの機械的中心線を紙面に直角に投影できるように回転させている。
【図１２Ａ】図１２と同様な上面図であるが、同じレンズブランクから左レンズを切り取ることができる位置も示している。
【符号の説明】
【００６６】
１０、１００・・眼鏡
１２、１４、４１、７１、１０２、１０４、１２０・・レンズ
１６・・フレーム
２０、２２・・耳づる
２４、１４８・・中央縁部
２６、７６、１０６、１４４・・側縁部
２７、８６、１３０・・正規視線
２８、１０８・・前表面
３０・・後表面
３１・・円
５０・・光線
５２、１３６・・外表面
５４・・内表面
５６・・透過光線
８５・・頂点
８７、８８・・中心点
【図１】
2007264666.tif 000005
【図２】
2007264666.tif 000006
【図３】
2007264666.tif 000007
【図４】
2007264666.tif 000008
【図５】
2007264666.tif 000009
【図６】
2007264666.tif 000010
【図７】
2007264666.tif 000011
【図８】
2007264666.tif 000012
【図８Ａ】
2007264666.tif 000013
【図９】
2007264666.tif 000014
【図１０Ａ】
2007264666.tif 000015
【図１０Ｂ】
2007264666.tif 000016
【図１０Ｃ】
2007264666.tif 000017
【図１１】
2007264666.tif 000018
【図１１Ａ】
2007264666.tif 000019
【図１２】
2007264666.tif 000020
【図１２Ａ】
2007264666.tif 000021